(57)【要約】【課題】  充電機能を備えていて、例えば、携帯電話等の各種機器に対して電源を供給することが可能な充電機能付子ライタを提供すること。【解決手段】  ケースと、上記ケース内に収容・配置された充電部と、上記ケース内に収容・配置された着火部と、上記ケースに取り付けられ上記充電部に充電する場合或いは上記充電部から別の機器に充電する場合に機能する充電・放電用端子部と、を具備しているので、充電が可能になると共に携帯電話等の機器への充電をも行なうことができるものである。  【選択図】  図２
2007032852.tif 000002
【特許請求の範囲】
【請求項１】
ケースと、上記ケース内に収容・配置された充電部と、上記ケース内に収容・配置された着火部と、上記ケースに取り付けられ上記充電部に充電する場合或いは上記充電部から別の機器に充電する場合に機能する充電・放電用端子部と、を具備したことを特徴とする充電機能付ライタ。
【請求項２】
請求項１記載の充電機能付ライタにおいて、
上記ケースには着火用スイッチが設置されていることを特徴とする充電機能付ライタ。
【請求項３】
請求項２記載の充電機能付ライタにおいて、
上記ケースには開閉蓋体が開閉自在に取り付けられていて、該開閉蓋体の開閉に上記着火用スイッチのオン・オフが連動していることを特徴とする充電機能付ライタ。
【請求項４】
請求項１記載の充電機能付ライタにおいて、
上記充電部はバッテリであることを特徴とする充電機能付ライタ。
【請求項５】
請求項１記載の充電機能付ライタにおいて、
上記充電部は二次電池であることを特徴とする充電機能付ライタ。
【請求項６】
請求項１記載の充電機能付ライタにおいて、
上記着火部は放電式着火部であることを特徴とする充電機能付ライタ。
【請求項７】
請求項１記載の充電機能付ライタにおいて、
上記着火部はヒータ式着火部であることを特徴とする充電機能付ライタ。
【請求項８】
請求項１記載の充電機能付ライタにおいて、
上記充電・放電用端子部は、携帯電話のバッテリ接続端子、デジタルカメラや携帯用オーディオ機器その他のモバイル機器のバッテリ接続端子に接続可能なものであることを特徴とする充電機能付ライタ。
【請求項９】
請求項１記載の充電機能付ライタにおいて、
上記充電・放電用端子部はＵＳＢ（Ｕｎｉｖｅｒｓａｌ  Ｓｅｒｉａｌ  Ｂｕｓ）端子であることを特徴とする充電機能付ライタ。
【発明の詳細な説明】
【技術分野】
【０００１】
本発明は、充電機能付ライタに係り、特に、ライタとして機能することは勿論のこと、自身に対する充電を可能にすると共に携帯電話等の各種機器に電源を供給することができるように構成されたものに関する。
【背景技術】
【０００２】
喫煙用のライタとしては、例えば、ガスライタやオイルライタ等がある。この種のライタの場合には、例えば、海上や山間部における強風下では着火し難いという事情があった。そこで、そのような自然環境の影響を受けることがないライタが提案されている。その種のライタの構成を開示するものとして、例えば、特許文献１、特許文献２、特許文献３等がある。
【０００３】
【特許文献１】実開昭５９−１８１５９号公報
【特許文献２】実開昭５９−１３４７４６号公報
【特許文献３】実開昭５９−１２４８５０号公報
【発明の開示】
【発明が解決しようとする課題】
【０００４】
上記従来の構成によると次のような問題があった。
まず、特許文献１、特許文献２、特許文献３に開示されている従来のライタは電源として乾電池を使用するものであり、よって、乾電池を消耗した場合には新たな乾電池を購入して交換しなければならず、面倒であるという問題があった。
又、従来のライタはライタとしての機能を備えているだけである。これに対して、昨今、携帯電話用の充電器なるものがある。この種の充電器は、上記ライタと同様に乾電池を装填した構成になっていて、適宜携帯電話のバッテリ接続端子に差し込んで電源を供給する構成になっているものである。このような現状において、例えば、喫煙者であって携帯電話を使用する人は、ライタと携帯電話用の充電器の両方を携帯しなければならないという問題があった。
【０００５】
本発明はこのような点に基づいてなされたものでその目的とするところは、充電機能を備えていて、例えば、携帯電話等の各種機器に対して電源を供給することが可能な充電機能付ライタを提供することにある。
【課題を解決するための手段】
【０００６】
上記課題を解決するべく本願発明の請求項１による充電機能付ライタは、ケースと、上記ケース内に収容・配置された充電部と、上記ケース内に収容・配置された着火部と、上記ケースに配置された着火用スイッチと、上記ケースに取り付けられ上記充電部に充電する場合或いは上記充電部から別の機器に充電する場合に機能する充電・放電用端子部と、を具備したことを特徴とするものである。
又、請求項２による充電機能付ライタは、請求項１記載の充電機能付ライタにおいて、上記ケースには着火用スイッチが設置されていることを特徴とするものである。
又、請求項３による充電機能付ライタは、請求項２記載の充電機能付ライタにおいて、上記ケースには開閉蓋体が開閉自在に取り付けられていて、該開閉蓋体の開閉に上記着火用スイッチのオン・オフが連動していることを特徴とするものである。
又、請求項４による充電機能付ライタは、請求項１記載の充電機能付ライタにおいて、上記充電部はバッテリであることを特徴とするものである。
又、請求項５による充電機能付ライタは、請求項１記載の充電機能付ライタにおいて、上記充電部は二次電池であることを特徴とするものである。
又、請求項６による充電機能付ライタは、請求項１記載の充電機能付ライタにおいて、上記着火部は放電式着火部であることを特徴とするものである。
又、請求項７による充電機能付ライタは、請求項１記載の充電機能付ライタにおいて、上記着火部はヒータ式着火部であることを特徴とするものである。
又、請求項８による充電機能付ライタは、請求項１記載の充電機能付ライタにおいて、上記充電・放電用端子部は、携帯電話のバッテリ接続端子、デジタルカメラや携帯用オーディオ機器その他のモバイル機器のバッテリ接続端子に接続可能なものであることを特徴とするものである。
又、請求項９による充電機能付ライタは、請求項１記載の充電機能付ライタにおいて、上記充電・放電用端子部はＵＳＢ（Ｕｎｉｖｅｒｓａｌ  Ｓｅｒｉａｌ  Ｂｕｓ）端子であることを特徴とするものである。
【発明の効果】
【０００７】
以上述べたように本願発明による充電機能付ライタによると、ケースと、上記ケース内に収容・配置された充電部と、上記ケース内に収容・配置された着火部と、上記ケースに配置された着火用スイッチと、上記ケースに取り付けられ上記充電部に充電する場合或いは上記充電部から別の機器に充電する場合に機能する充電・放電用端子部と、を具備した構成になっているので、まず、充電が可能なライタを提供することができるものである。よって、従来のように、乾電池を頻繁に交換するといった煩雑な作業を余儀なくされることはない。
又、携帯電話等の機器への充電をも行なうことができるものである。よって、従来のように、ライタと、例えば、携帯電話用充電器の両方を携帯する必要はなくなるものである。
又、上記ケースに着火用スイッチを設置することが考えられ、さらに、上記ケースに開閉蓋体を開閉自在に取り付けて、該開閉蓋体の開閉に上記着火用スイッチのオン・オフを連動させるようにした場合には、開閉蓋体を開放するだけで着火することができる。
又、上記充電部としては、バッテリ或いは二次電池が考えられ、何れの場合も上記した所望の効果を得ることができる。
又、上記着火部としては、放電式着火部或いはヒータ式着火部であることが考えられ、何れの場合も強風等自然環境の影響を受けることなく着火することができる。
又、上記充電・放電用端子部を携帯電話のバッテリ接続端子、デジタルカメラや携帯用オーディオ機器その他のモバイル機器のバッテリ接続端子に接続可能なものとした場合には、それらの機器に対しても充電機能を発揮することができる。
又、上記充電・放電用端子部をＵＳＢ（Ｕｎｉｖｅｒｓａｌ  Ｓｅｒｉａｌ  Ｂｕｓ）端子とした場合には、パーソナルコンピュータを介して充電することができる。
【発明を実施するための最良の形態】
【０００８】
以下、図１乃至図３を参照して本発明の第１の実施の形態を説明する。図１は本実施の形態による充電機能付ライタの全体構成を示す正面図であり、図２は本実施の形態による充電機能付ライタの回路構成を示す回路図である。
まず、ケース１があり、このケース１内であって下部には充電部としてのバッテリ３が内装されている。又、上記バッテリ３には充電・放電用接続端子５が接続されていて、該充電・放電用接続端子５は、上記ケース１の下端部に露出した状態で設置されている。
上記充電・放電用接続端子５は、図示しない携帯電話のバッテリ接続端子に差し込める構成のものである。
【０００９】
上記充電・放電用接続端子５を使用して、家庭用電源より充電する場合は、図３に示す接続具７を使用する。上記接続具７は、コード９と、該コード９の一端に取り付けられた差込プラグ１１と、コード９の他端に取り付けられた被差込部１３と、コード９の途中に設けられたＡＣアダプタ１５とから構成されている。そして、上記充電・放電用接続端子５を上記被差込部１３に差し込み、上記差込プラグ１１を図示しない家庭用コンセントに差し込む。それによって、家庭用電源からバッテリ３への充電が可能になる。
【００１０】
上記ケース１内にはライタ用回路部１７が内装されていると共に、ライタ用スイッチ１９と放電着火部２１が設置されている。又、上記ケース１の上端には開閉蓋体２３が取り付けられている。上記放電着火部２１は、図２の回路図に示すように、一対の高圧放電針２１ａ、２１ａから構成されている。又、上記開閉蓋体２３の開閉は上記ライタ用スイッチ１９のオン・オフに連動している。つまり、開閉蓋体２３を解放することにより上記ライタ用スイッチ１９がオンし、開閉蓋体２３を閉じることにより上記ライタ用スイッチ１９がオフするように構成されている。 
【００１１】
上記ライタ用回路部１７は、図２に示すように、マイナスイオン変圧器２４の一次コイル２５、マイナスイオン変圧器２４の二次コイル２７、マイナスイオン変圧器２４の三次コイル３１、抵抗３３、ダイオード３５、ＮＰＮ型トランジスタ３７とから構成されている。本実施の形態の場合には、直流電源を点火エネルギ源とし、又、上記ＮＰＮ型トランジスタ３７、ダイオード３５、抵抗３３、マイナスイオン変圧器の一次コイル２５、二次コイル２７によって振動電気回路を構成し、それによって、高周波パルス電流を発生させるようにしている。そして、開閉蓋体２３を開放して上記ライタ用スイッチ１９をオンさせることにより上記放電着火部２１においてアーク放電が起こり、それによって、図示しない煙草に点火するものである。
【００１２】
以上の構成を基にその作用を説明する。
まず、充電する場合であるが、上記充電・放電用接続端子５を上記被差込部１３に差し込み、上記差込プラグ１１を図示しない家庭用コンセントに差し込む。それによって、家庭用電源からバッテリ３への充電が可能になる。
【００１３】
次に、ライタとして使用する場合であるが、上記開閉蓋体２３を開放することにより上記ライタ用スイッチ１９をオンさせる。それによって、周波数１７〜２０ＫＨｚの高周波振動が発生し、放電着火部２１を構成する一対の高圧放電針２１ａ、２１ａ間においてアーク放電が発生する。それによって、図示しない煙草に点火するものである。
【００１４】
次に、図示しない携帯電話のバッテリに充電する場合について説明する。この場合には、上記充電・放電用接続端子５を図示しない携帯電話のバッテリ接続端子に差し込む。それによって、携帯電話側のバッテリに電源が供給されることになる。
【００１５】
以上本実施の形態によると次のような効果を奏することができる。
まず、充電が可能なライタを提供することができるものである。よって、従来のように、乾電池を頻繁に交換するといった煩雑な作業を余儀なくされることはない。
又、充電する場合も家庭用電源から容易に充電することができる。
又、携帯電話への充電をも行なうことができる。よって、従来のように、ライタと携帯電話用の充電器の両方を携帯する必要はなくなるものである。
【００１６】
次に、図４を参照して本発明の第２の実施の形態を説明する。前記第１の実施の形態の場合には、ライタを放電式としたものであるが、この第２の実施の形態の場合には、これをヒータ式としたものである。すなわち、ケース１内にはヒータコイル５１が設置されている。
その他の構成は前記第１の実施の形態の場合と同様であり、同一部分には同一符号を付して示しその説明は省略する。
【００１７】
よって、充電が可能なライタを提供することができるので従来のように乾電池を頻繁に交換するといった煩雑な作業を余儀なくされることはなく、又、充電する場合も家庭用電源から容易に充電することができ、又、携帯電話への充電をも行なうことができるので従来のようにライタと携帯電話用の充電器の両方を携帯する必要はなくなる、等前記第１の実施の形態の場合と同様の効果を奏することができるものである。
【００１８】
尚、本発明は前記第１、第２の実施の形態に限定されるものではない。
例えば、バッテリの代わりに二次電池を使用してもよい。
前記各実施の形態の場合には、充電する機器として携帯電話を例に挙げたが、それ以外にも、携帯用オーディオ、デジタルカメラ、ビデオデッキ、等様々なものが想定される。
又、充電機能付ライタに充填する場合も、家庭用電源以外からの充電も考えられる。
又、充電・放電用接続端子をＵＳＢ（Ｕｎｉｖｅｒｓａｌ  Ｓｅｒｉａｌ  Ｂｕｓ）端子として、パーソナルコンピュータに接続可能な構成としても良い。この場合にはパーソナルコンピュータを介して充電することが可能になる。
【産業上の利用可能性】
【００１９】
本発明は、充電機能付ライタに係り、特に、ライタとして機能することは勿論のこと、充電が可能であって、且つ、各種機器に電源を供給することができるように構成されたものに関し、例えば、携帯電話に電源を供給することができる充電機能付ライタに好適である。
【図面の簡単な説明】
【００２０】
【図１】本発明の第１の実施の形態を示す図で、充電機能付ライタの全体構成を示す正面図である。
【図２】本発明の第１の実施の形態を示す図で、充電機能付ライタの回路構成を示す回路図である。
【図３】本発明の第１の実施の形態を示す図で、充電機能付ライタを使用して家庭用電源から充電する場合に使用する接続具の構成を示す正面図である。
【図４】本発明の第２の実施の形態を示す図で、充電機能付ライタの全体構成を示す正面図である。
【図５】本発明の第２の実施の形態を示す図で、充電機能付ライタの回路構成を示す回路図である。
【符号の説明】
【００２１】
１  ケース
３  バッテリ
５  充電・放電用接続端子
１７  ライタ用回路部
１９  ライタ用スイッチ
２１  放電着火部
５１  ヒータコイル
【図１】
2007032852.tif 000003
【図２】
2007032852.tif 000004
【図３】
2007032852.tif 000005
【図４】
2007032852.tif 000006
【図５】
2007032852.tif 000007